(57)【要約】  本発明は、室内部分と遠端ＲＦサブシステム（ＲＲＳ）の２つの部分を含む基地局システムである。室内部分は、ＲＩＵ、ＣＣＵ、ＢＢＵ、ＧＰＳＵ及びローカルインターフェースユニットを含み、ＲＲＳは、遠端インターフェースユニット、ＲＦ送受信ユニット（ＴＲＵ）からなる。ローカルインターフェースユニットと遠端インターフェースユニットは、基地局の室内部分とＲＲＳとの間の情報のやりとりに用いる。ＴＲＵは、従来のＲＦＵのＲＦ送受信モジュールであり、遠端インターフェースユニットからのアナログＲＦ信号を拡大してアンテナから送信する。光ケーブル又は中間周波数ケーブルを柔軟に選択して、インターフェースユニットは、デジタルベースバンドリモート方式と中間周波数リモート方式の二種類のリモート方式を提供する。本発明の基地局によれば、基地局サイトを減少させたとともに、ネットワーク運営コストを低減させた。一方、一つの基地局は、スマートアンテナを介してセルをカバーするには、一本の光ケーブル又は中間周波数ケーブルのみで接続でき、取り付けの難しさを低減させた。
2008532443.tif 000002
【特許請求の範囲】
【請求項１】
基地局ＮodeＢと無線ネットワーク制御局ＲＮＣとの間のインターフェース機能を有するＲＮＣインターフェースユニットＲＩＵ、ＮodeＢ内の他のユニットにクロック信号を提供するクロックユニットＧＰＳＵ、及びＧＰＳアンテナを含む室内部分と、
室外部分と
を有する基地局システムにおいて、
前記室内部分は、さらに
ＮodeＢのメーン制御機能と、ＮodeＢ内の各ユニット間のシグナリング及び業務データの交換機能とを有する中央制御ユニットＣＣＵと、
物理レイヤのシンボル級及びコードチップ級のデジタル信号を処理し、ローカルインターフェースユニットとの間においてデジタルベースバンド信号をやりとりするデジタルベースバンドユニットＢＢＵと、
ＢＢＵからのデジタルベースバンド信号をインターフェース信号に変換して遠端インターフェースユニットに送信し、又は、遠端インターフェースユニットからのインターフェース信号をデジタルベースバンド信号に変換してＢＢＵに出力するローカルインターフェースユニットと
を含み、
前記室外部分は、
遠端ＲＦサブシステムＲＲＳであり、アナログＲＦ信号を送受信するためのアンテナを含み、さらに
ローカルインターフェースユニットからのインターフェース信号をアナログ中間周波数信号に変換してＴＲＵに出力し、又は、ＴＲＵからのアナログ中間周波数信号をインターフェース信号に変換してローカルインターフェースユニットに出力する遠端インターフェースユニットと、
遠端インターフェースユニットからのアナログ中間周波数信号をアナログＲＦ信号に変換してアンテナに出力し、又は、アンテナからのアナログＲＦ信号をアナログ中間周波数信号に変換して遠端インターフェースユニットに出力するＲＦ送受信ユニットＴＲＵと
を含むことを特徴とする基地局システム。
【請求項２】
前記ローカルインターフェースユニットは、ローカルベースバンドインターフェースユニットＢＩＵ-Ｌであり、
前記遠端インターフェースユニットは、遠端ベースバンドインターフェースユニットＢＩＵ-Ｒとデジタル中間周波数ユニットＩＦＵとを含み、
ＢＩＵ-Ｒは、ＢＩＵ-Ｌからのインターフェース信号を受信し、デジタルベースバンド信号をＩＦＵに出力し、ＩＦＵは、受信したデジタルベースバンド信号をアナログ中間周波数信号に変換して前記ＴＲＵに出力し、
又は、ＩＦＵは、前記ＴＲＵからのアナログ中間周波数信号を受信し、デジタルベースバンド信号をＢＩＵ-Ｒに出力し、ＢＩＵ-Ｒは、受信したデジタルベースバンド信号をインターフェース信号に変換してＢＩＵ-Ｌに送信することを特徴とする請求項１に記載のシステム。
【請求項３】
前記インターフェース信号は、デジタルベースバンド光信号であることを特徴とする請求項２に記載のシステム。
【請求項４】
前記ローカルインターフェースユニットは、遠端中間周波数処理ユニットＩＩＵ-Ｒであり、
前記ローカルインターフェースユニットは、ＩＦＵと、ローカル中間周波数インターフェースユニットＩＩＵ-Ｌとを含み、
ＩＦＵは、ＢＢＵからのデジタルベースバンド信号を受信し、アナログ中間周波数信号をＩＩＵ-Ｌに出力し、ＩＩＵ-Ｌは、受信したアナログ中間周波数信号をインターフェース信号に変換してＩＩＵ-Ｒに出力し、
又は、ＩＩＵ-Ｌは、ＩＩＵ-Ｒからのインターフェース信号を受信し、アナログ中間周波数信号をＩＦＵに出力し、ＩＦＵは、受信したアナログ中間周波数信号をデジタルベースバンド信号に変換してＢＢＵに送信することを特徴とする請求項１に記載のシステム。
【請求項５】
前記インターフェース信号は、アナログ中間周波数信号又はアナログ中間周波数光信号であることを特徴とする請求項４に記載のシステム。
【請求項６】
前記ローカルインターフェースユニットは、ＩＦＵとＩＩＵ-Ｌとを更に含み、前記遠端インターフェースユニットは、ＩＩＵ-Ｒを更に含み、
ＩＦＵは、ＢＢＵからのデジタルベースバンド信号を受信し、アナログ中間周波数信号をＩＩＵ-Ｌに出力し、ＩＩＵ-Ｌは、受信したアナログ中間周波数信号をインターフェース信号に変換してＩＩＵ-Ｒに出力し、
又は、ＩＩＵ-Ｌは、ＩＩＵ-Ｒからのインターフェース信号を受信し、アナログ中間周波数信号をＩＦＵに出力し、ＩＦＵは、受信したアナログ中間周波数信号をデジタルベースバンド信号に変換してＢＢＵに送信することを特徴とする請求項２に記載のシステム。
【請求項７】
前記ＢＩＵ-ＬとＢＩＵ-Ｒとの間で伝送するインターフェース信号は、デジタルベースバンド信号であり、
前記ＩＩＵ-ＬとＩＩＵ-Ｒとの間で伝送するインターフェース信号は、アナログ中間周波数信号又はアナログ中間周波数光信号であることを特徴とする請求項６に記載のシステム。
【請求項８】
前記ＢＢＵは、
物理レイヤのシンボル級及びコードチップ級のデジタル信号を処理する第１のデジタルベースバンドユニットＢＢＵ１と第２のデジタルベースバンドユニットＢＢＵ２とを含み、
ＢＢＵ１と前記ローカルインターフェースユニットのＢＩＵ-Ｌとの間において、デジタルベースバンド信号をやりとりし、
ＢＢＵ２と前記ローカルインターフェースユニットのＩＦＵとの間において、デジタルベースバンド信号をやりとりすることを特徴とする請求項６に記載のシステム。
【請求項９】
前記ＩＩＵ-Ｌは、
ＩＦＵからのアナログ中間周波数信号に対して周波数変換処理を行い、変換した後の異なる中心周波数のアナログ中間周波数信号を第１のマルチプレクシングモジュールに出力する第１のアップ変換モジュールと、
ＣＣＵからのオペレーションメンテナンスＯＭ制御信号を所定の一定周波数に変調し、変調した後のＯＭ制御信号を第１のマルチプレクシングモジュールに出力するＦＳＫ変調モジュールと、
受信した信号と、ＩＦＵからのクロック信号ｆｃｌｋとに対して、周波数信号重合を行い、重合した一つのアナログ中間周波数信号をＩＩＵ-Ｒの第２のデマルチプレクシングモジュールに出力する第１のマルチプレクシングモジュールと、
ＩＩＵ-Ｒの第２のマルチプレクシングモジュールからの一つのアナログ中間周波数信号を分離し、分離した異なる中心周波数のアナログ中間周波数信号を第１のダウン変換モジュールに出力する第１のデマルチプレクシングモジュールと、
第１のデマルチプレクシングモジュールからの異なる中心周波数のアナログ中間周波数信号に対して周波数変換処理を行い、変換した後のアナログ中間周波数信号をローカルインターフェースユニットのＩＦＵに出力する第１のダウン変換モジュールと
を含み、
前記ＩＩＵ-Ｒは、
ＩＩＵ-Ｌの第１のマルチプレクシングモジュールからの一つのアナログ中間周波数信号を分離し、分離したアナログ中間周波数信号を第２のダウン変換モジュールに出力し、分離したｆｃｌｋ信号をそれぞれ前記ＴＲＵ、第２のアップ変換モジュール及び第２のダウン変換モジュールに出力し、分離した後にＦＳＫ変調されたＯＭ制御信号をＦＳＫ復調モジュールに出力する第２のデマルチプレクシングモジュールと、
第２のデマルチプレクシングモジュールからの異なる中心周波数のアナログ中間周波数信号に対して周波数変換処理を行い、変換した後のアナログ中間周波数信号を前記ＴＲＵに出力する第２のダウン変換モジュールと、
前記ＴＲＵからのアナログ中間周波数信号に対して周波数変換処理を行い、変換した後の異なる中心周波数のアナログ中間周波数信号を第２のマルチプレクシングモジュールに出力する第２のアップ変換モジュールと、
第２のアップ変換モジュールからのアナログ中間周波数信号に対して周波数信号重合を行い、重合した一つのアナログ中間周波数信号をＩＩＵ-Ｌの第１のデマルチプレクシングモジュールに伝送する第２のマルチプレクシングモジュールと、
第２のデマルチプレクシングモジュールからの変調されたＯＭ制御信号を復調し、復調信号を前記ＴＲＵに出力するＦＳＫ復調モジュールと
を含むことを特徴とする請求項４又は６に記載のシステム。
【請求項１０】
前記第１のアップ変換モジュール及び前記第１のダウン変換モジュールは、それぞれ一個以上であり、現在使用しているアンテナ数にそれぞれ等しく、
前記第２のアップ変換モジュール及び第２のダウン変換モジュールは、それぞれ一個以上であり、現在使用しているアンテナ数にそれぞれ等しいことを特徴とする請求項９に記載のシステム。
【請求項１１】
前記ＩＩＵ-Ｌ及び前記ＩＩＵ-Ｒは、それぞれ光送受信モジュールを含み、
それぞれ、ＩＩＵ-Ｌの第１のマルチプレクシングモジュール及びＩＩＵ-Ｒの第２のマルチプレクシングモジュールの一つのアナログ中間周波数信号を受信し、アナログ中間周波数光信号を光ケーブルに出力し、
又は、それぞれ、光ケーブルからの一つのアナログ中間周波数光信号を受信し、アナログ中間周波数信号をＩＩＵ-Ｌの第１のデマルチプレクシングモジュール、ＩＩＵ-Ｒの第２のデマルチプレクシングモジュールに出力することを特徴とする請求項９に記載のシステム。
【請求項１２】
前記ＢＩＵ-Ｌは、光送受信モジュールであり、前記ＢＩＵ-Ｒは、光送受信モジュールであることを特徴とする請求項２又は６に記載のシステム。
【請求項１３】
前記アンテナは、シングルアンテナ、ツーアンテナ、フォーアンテナ、又はエイトアンテナであることを特徴とする請求項１に記載のシステム。
【請求項１４】
前記インターフェース信号は、デジタルベースバンド光信号及び／又はアナログ中間周波数信号であり、又は、デジタルベースバンド光信号及び／又はアナログ中間周波数光信号であることを特徴とする請求項１に記載のシステム。
【請求項１５】
前記ローカルインターフェースユニットと遠端インターフェースユニットとの間は、光ケーブル又は中間周波数ケーブルによって接続されていることを特徴とする請求項１に記載のシステム。
【請求項１６】
前記室内部分と、一個以上の遠端ＲＦサブシステムＲＲＳとの間は、一個以上のインターフェースユニットを介して、シリアル接続、星型接続、又は、混合型接続をなすことを特徴とする請求項１に記載のシステム。
【発明の詳細な説明】
【技術分野】
【０００１】
本発明は、基地局構造設計に係り、特に、基地局システムに関する。
【背景技術】
【０００２】
無線セルラー通信システムにおいて、無線アクセスネットワーク部分は、基地局システムと、無線ネットワーク制御局との２つの主要部分を含む。そのうち、基地局システムの設計は、無線ネットワーキング、ネットワークのカバー品質、及びネットワーク構築・運営コストなどに直接影響する。
【０００３】
以下、ＴＤ‐ＳＣＤＭＡシステムを例として、基地局システム設計の重要さを分析する。
図１は、従来の基地局システムの構成を示す。図１に示すように、ＴＤ‐ＳＣＤＭＡシステムにおいて、基地局ＮoｄeＢと無線ネットワーク制御局（ＲＮＣ）との間は、標準Ｉuｂインターフェースを介して接続され、ＮoｄeＢは、室内部分と室外部分の二つの部分を含む。
【０００４】
ＮoｄeＢの室外部分は、拡大ユニット（ＰＡ＆ＬＮＡ）及びアンテナ（ＡＮＴ）を含む。ＰＡ＆ＬＮＡは、ＲＦケーブルを介して、基地局の室内部分から出力されたアナログＲＦ信号を受信し、該信号を拡大してＡＮＴを経て送信する。又は、ＰＡ＆ＬＮＡは、ＡＮＴからのアナログＲＦ信号を受信して拡大し、該アナログＲＦ信号をＲＦケーブルを介して基地局の室内部分のＲＦ処理ユニット（ＲＦＵ）に送信する。
【０００５】
ＮoｄeＢの室内部分は、大きく分けて５つの部分を含む。
ＲＮＣインターフェースユニット（ＲＩＵ）は、ＮoｄeＢとＲＮＣとの間のインターフェース機能を有する。中央制御ユニット（ＣＣＵ）は、ＮodeＢのメーン制御機能と、ＮodeＢ内の各ユニット間のシグナリング及び業務データの交換機能とを有し、ＲＮＣからのデータを、ＲＩＵを経てＣＣＵに伝送し、ＮoｄeＢにある伝送すべきデータを、ＣＣＵによってＲＩＵを経てＲＮＣに伝送する。デジタルベースバンドユニット（ＢＢＵ）は、物理レイヤのシンボル級及びコードチップ級のデジタル信号処理機能を有し、ＲＦＵとの間においてデジタルベースバンド信号をやりとりする。ＲＦＵは、デジタルベースバンド信号とアナログＲＦ信号との間の相互変換を行う。クロックユニット（ＧＰＳＵ）とＧＰＳアンテナ（ＧＰＳ  ＡＮＴ）は、ＧＰＳ  ＡＮＴを介して、ＧＰＳクロック信号を取得し、クロック信号を生成してＮoｄeＢ内の他の各ユニットに提供する。
【０００６】
そのうち、ＲＦＵは、デジタル中間周波数モジュールとＲＦ送受信モジュールを含む。図２は、図１におけるＲＦＵの構成モジュール及び機能を示す。図２によると、ＢＢＵとＲＦＵのデジタル中間周波数モジュールとが接続され、二つのユニット間においてデジタルベースバンド信号を伝送する。ＲＦＵのデジタル中間周波数モジュールとＲＦＵのＲＦ処理モジュールとが接続され、二つのユニット間においてアナログ中間周波数信号を伝送する。ＲＦＵのＲＦ処理モジュールとＰＡ＆ＬＮＡとが接続され、二つのユニット間においてＲＦケーブルを介してアナログＲＦ信号を伝送する。以下、具体的な機能を説明する。
【０００７】
ＲＦＵの上りリンクにおいて、ＲＦＵは、ＰＡ＆ＬＮＡからのアナログＲＦ信号を受信し、受信したアナログＲＦ信号を処理した後に、処理後のデジタルベースバンド信号をＢＢＵに伝送する。ＲＦＵが受信したアナログＲＦ信号に対する処理は、次の処理を含む。（１）ＲＦＵのＲＦ送受信モジュールは、アンテナから受信したアナログＲＦ信号に対して、拡大、フィルタリング、ゲイン制御、アナログＲＦ信号からアナログ中間周波数信号への変換処理を行い、変換処理を行って得たアナログ中間周波数信号に対して、拡大、フィルタリング、及びゲイン制御処理を行い、処理後のアナログ中間周波数信号を、ＲＦＵのデジタル中間周波数モジュールに伝送する。（２）ＲＦＵのデジタル中間周波数モジュールは、受信したアナログ中間周波数信号に対して、アナログ／デジタル（Ａ／Ｄ）変換、デジタルダウン変換処理及びベースバンド信号の成形・フィルタリング処理を行ってデジタルベースバンド信号を得た後、該デジタルベースバンド信号をＢＢＵに伝送する。
【０００８】
ＲＦＵの下りリンクにおいて、ＲＦＵは、ＢＢＵからのデジタルベースバンド信号を受信し、受信したデジタルベースバンド信号を処理した後に、処理後のアナログＲＦ信号をＰＡ＆ＬＮＡに伝送する。ＲＦＵが受信したデジタルベースバンド信号に対する処理は、次の処理を含む。（１）ＲＦＵのデジタル中間周波数モジュールは、受信したデジタルベースバンド信号に対して、ベースバンド信号の成形・フィルタリング処理、デジタルアップ変換処理及びデジタル／アナログ（Ｄ／Ａ）変換を行って、アナログ中間周波数信号を生成し、生成したアナログ中間周波数信号をＲＦＵのＲＦ送受信モジュールに伝送する。（２）ＲＦＵのＲＦ送受信モジュールは、受信したアナログ中間周波数信号に対して、拡大、フィルタリング、ゲイン制御、アナログ中間周波数信号からアナログＲＦ信号への変換処理を行い、変換処理を行って得たアナログＲＦ信号に対して、拡大、フィルタリング、及びゲイン制御処理を行い、処理後のアナログＲＦ信号を、ＰＡ＆ＬＮＡに伝送する。
【０００９】
従来の基地局システムにおいて、ＲＦＵが基地局の室内部分に配置され、ＲＦＵにおいてセルをカバーするＲＦ送受信モジュールとアンテナとの間は、取り付け距離に一定の制限があるため、基地局の室内部分とアンテナとの距離は、数十メートル以内に制限すべきである。また、基地局のカバー能力がＲＦ送受信モジュールに依存し、従来の基地局システムのＲＦ送受信モジュールが室内部分に配置されている。このため、無線通信カバー面積がますます広くなるにつれ、このような基地局システムは、実際の応用において、異なる領域をカバーするためには、非常に多くの基地局サイトを選択しなければならず、ネットワークの運営コストが増加した。また、従来の基地局システム設計において、基地局の室内部分と基地局の室外部分との間は、ＲＦケーブルを介して信号を伝送するが、ＲＦケーブルが太くて重いため、取り付けの難しさが増した。特に、基地局においてスマートアンテナを採用する場合、複数のＲＦケーブルの取り付けが必要となり、取り付けの難度を高めただけでなく、コストを増加させた。
【発明の開示】
【００１０】
本発明は上記課題に鑑みてなされたもので、その主要目的は、基地局のカバー能力を向上させ、ネットワーク運営コストを低下させることができる基地局を提供することである。
【００１１】
上記目的を実現するために、本発明は、具体的に以下の構成によって実現される。
基地局ＮodeＢと無線ネットワーク制御局ＲＮＣとの間のインターフェース機能を有するＲＮＣインターフェースユニットＲＩＵ、ＮodeＢ内の他のユニットにクロック信号を提供するクロックユニットＧＰＳＵ及びＧＰＳアンテナを含む室内部分と、
室外部分と
を有する基地局システムにおいて、
前記室内部分は、さらに
ＮodeＢのメーン制御機能を有し、ＮodeＢ内各ユニット間のシグナリング及び業務データの交換を行う中央制御ユニットＣＣＵと、
物理レイヤのシンボル級及びコードチップ級のデジタル信号を処理し、ローカルインターフェースユニットとの間においてデジタルベースバンド信号をやりとりするデジタルベースバンドユニットＢＢＵと、
ＢＢＵからのデジタルベースバンド信号をインターフェース信号に変換してに遠端インターフェースユニットに送信し、又は、遠端インターフェースユニットからのインターフェース信号をデジタルベースバンド信号に変換してＢＢＵに出力するローカルインターフェースユニットとを含み、
前記室外部分は、
遠端ＲＦサブシステムＲＲＳであり、アナログＲＦ信号を送受信するアンテナを含み、さらに
ローカルインターフェースユニットからのインターフェース信号をアナログ中間周波数信号に変換してＴＲＵに出力し、又は、ＴＲＵからのアナログ中間周波数信号をインターフェース信号に変換してローカルインターフェースユニットに出力する遠端インターフェースユニットと、
遠端インターフェースユニットからのアナログ中間周波数信号をアナログＲＦ信号に変換してアンテナに出力し、又は、アンテナからのアナログＲＦ信号をアナログ中間周波数信号に変換して遠端インターフェースユニットに出力するＲＦ送受信ユニットＴＲＵとを含む。
【００１２】
前記ローカルインターフェースユニットは、ローカルベースバンドインターフェースユニットＢＩＵ-Ｌであり、
前記遠端インターフェースユニットは、遠端ベースバンドインターフェースユニットＢＩＵ-Ｒとデジタル中間周波数ユニットＩＦＵとを含み、
ＢＩＵ-Ｒは、ＢＩＵ-Ｌからのインターフェース信号を受信し、デジタルベースバンド信号をＩＦＵに出力し、ＩＦＵは、受信したデジタルベースバンド信号をアナログ中間周波数信号に変換して前記ＴＲＵに出力し、
又は、ＩＦＵは、前記ＴＲＵからのアナログ中間周波数信号を受信し、デジタルベースバンド信号をＢＩＵ-Ｒに出力し、ＢＩＵ-Ｒは、受信したデジタルベースバンド信号をインターフェース信号に変換してＢＩＵ-Ｌに送信する。
前記インターフェース信号はデジタルベースバンド光信号である。
前記遠端インターフェースユニットは、遠端中間周波数処理ユニットＩＩＵ-Ｒであり、
前記ローカルインターフェースユニットは、ＩＦＵと、ローカル中間周波数インターフェースユニットＩＩＵ-Ｌとを含み、
ＩＦＵは、ＢＢＵからのデジタルベースバンド信号を受信し、アナログ中間周波数信号をＩＩＵ-Ｌに出力し、ＩＩＵ-Ｌは、受信したアナログ中間周波数信号をインターフェース信号に変換してＩＩＵ-Ｒに出力し、
又は、ＩＩＵ-Ｌは、ＩＩＵ-Ｒからのインターフェース信号を受信し、アナログ中間周波数信号をＩＦＵに出力し、ＩＦＵは、受信したアナログ中間周波数信号をデジタルベースバンド信号に変換してＢＢＵに出力する。
前記インターフェース信号は、アナログ中間周波数信号又はアナログ中間周波数光信号である。
【００１３】
前記ローカルインターフェースユニットは、ＩＦＵとＩＩＵ-Ｌとを更に含み、前記遠端インターフェースユニットは、ＩＩＵ-Ｒを更に含み、
ＩＦＵは、ＢＢＵからのデジタルベースバンド信号を受信し、アナログ中間周波数信号をＩＩＵ-Ｌに出力し、ＩＩＵ-Ｌは、受信したアナログ中間周波数信号をインターフェース信号に変換してＩＩＵ-Ｒに出力し、
又は、ＩＩＵ-Ｌは、ＩＩＵ-Ｒからのインターフェース信号を受信し、アナログ中間周波数信号をＩＦＵに出力し、ＩＦＵは、受信したアナログ中間周波数信号をデジタルベースバンド信号に変換してＢＢＵに送信する。
前記ＢＩＵ-ＬとＢＩＵ-Ｒとの間において伝送するインターフェース信号は、デジタルベースバンド光信号であり、
前記ＩＩＵ-ＬとＩＩＵ-Ｒとの間において伝送するインターフェース信号は、アナログ中間周波数信号又はアナログ中間周波数光信号である。
【００１４】
前記ＢＢＵは、
物理レイヤのシンボル級及びコードチップ級のデジタル信号を処理する第１のデジタルベースバンドユニットＢＢＵ１と第２のデジタルベースバンドユニットＢＢＵ２とを含み、
ＢＢＵ１と前記ローカルインターフェースユニットのＢＩＵ-Ｌとの間において、デジタルベースバンド信号をやりとりし、
ＢＢＵ２と前記ローカルインターフェースユニットのＩＦＵとの間において、デジタルベースバンド信号をやりとりする。
【００１５】
前記ＩＩＵ-Ｌは、
ＩＦＵからのアナログ中間周波数信号に対して変換処理を行い、変換した後の異なる中心周波数のアナログ中間周波数信号を第１のマルチプレクシングモジュールに出力する第１のアップ変換モジュールと、
ＣＣＵからのオペレーションメンテナンスＯＭ制御信号を所定の一定周波数に変調し、変調したＯＭ制御信号を第１のマルチプレクシングモジュールに出力するＦＳＫ変調モジュールと、
受信した信号と、ＩＦＵからのクロック信号ｆｃｌｋとに対して、周波数信号重合を行い、重合した一つのアナログ中間周波数信号をＩＩＵ-Ｒの第２のデマルチプレクシングモジュールに出力する第１のマルチプレクシングモジュールと、
ＩＩＵ-Ｒの第２のマルチプレクシングモジュールからの一つのアナログ中間周波数信号を分離し、分離した異なる中心周波数のアナログ中間周波数信号を第１のダウン変換モジュールに出力する第１のデマルチプレクシングモジュールと、
第１のデマルチプレクシングモジュールからの異なる中心周波数のアナログ中間周波数信号に対して変換処理を行い、変換した後のアナログ中間周波数信号をローカルインターフェースユニットのＩＦＵに出力する第１のダウン変換モジュールとを含み、
前記ＩＩＵ-Ｒは、
ＩＩＵ-Ｌの第１のマルチプレクシングモジュールからの一つのアナログ中間周波数信号を分離し、分離したアナログ中間周波数信号を第２のダウン変換モジュールに出力し、分離したｆｃｌｋ信号を、それぞれ前記ＴＲＵ、第２のアップ変換モジュール及び第２のダウン変換モジュールに出力し、分離した後にＦＳＫ変調されたＯＭ制御信号をＦＳＫ復調モジュールに出力する第２のデマルチプレクシングモジュールと、
第２のデマルチプレクシングモジュールからの異なる中心周波数のアナログ中間周波数信号に対して変換処理を行い、変換した後のアナログ中間周波数信号を前記ＴＲＵに出力する第２のダウン変換モジュールと、
前記ＴＲＵからのアナログ中間周波数信号に対して変換処理を行い、変換した後の異なる中心周波数のアナログ中間周波数信号を第２のマルチプレクシングモジュールに出力する第２のアップ変換モジュールと、
第２のアップ変換モジュールからのアナログ中間周波数信号に対して周波数信号重合を行い、重合した後の一つのアナログ中間周波数信号をＩＩＵ-Ｌの第１のデマルチプレクシングモジュールに伝送する第２のマルチプレクシングモジュールと、
第２のデマルチプレクシングモジュールからの変調されたＯＭ制御信号を復調し、復調信号を前記ＴＲＵに出力するＦＳＫ復調モジュールとを含む。
【００１６】
前記第１のアップ変換モジュール及び第１のダウン変換モジュールは、それぞれ一個以上であり、現在使用しているアンテナ数とそれぞれ同じであり、
前記第２のアップ変換モジュール及び第２のダウン変換モジュールは、それぞれ一個以上であり、現在使用しているアンテナ数とそれぞれ同じである。
【００１７】
前記ＩＩＵ-Ｌ及び前記ＩＩＵ-Ｒは、それぞれ光送受信モジュールをさらに含み、
それぞれ、ＩＩＵ-Ｌの第１のマルチプレクシングモジュール及びＩＩＵ-Ｒの第２のマルチプレクシングモジュールの一つのアナログ中間周波数信号を受信し、アナログ中間周波数光信号を光ケーブルに出力し、
又は、それぞれ、光ケーブルからの一つのアナログ中間周波数光信号を受信し、アナログ中間周波数信号をＩＩＵ-Ｌの第１のデマルチプレクシングモジュール、ＩＩＵ-Ｒの第２のデマルチプレクシングモジュールに出力する。
【００１８】
前記ＢＩＵ-Ｌは光送受信モジュールであり、前記ＢＩＵ-Ｒは、光送受信モジュールである。
前記アンテナは、シングルアンテナ、ツーアンテナ、フォーアンテナ、又はエイトアンテナである。
【００１９】
前記インターフェース信号は、デジタルベースバンド光信号及び／又はアナログ中間周波数信号であり、又は、デジタルベースバンド光信号及び／又はアナログ中間周波数光信号である。
前記ローカルインターフェースユニットと遠端インターフェースユニットとの間は、光ケーブル又は中間周波数ケーブルによって接続されている。
前記室内部分と、一個以上の遠端ＲＦサブシステムＲＲＳとは、一個以上のインターフェースユニットを介して、シリアル接続、星型接続、又は、混合型接続される。
【００２０】
上記技術によると、本発明のような基地局システムは、基地局の室内部分と、遠端ＲＦサブシステム（ＲＲＳ）からなる室外部分とにそれぞれインターフェースユニットを増加し、インターフェースユニットを介して、室内部分とＲＲＳとの間の信号のやりとりを行う。そのうち、室内部分は、ＲＩＵ、ＣＣＵ、ＢＢＵ、ＧＰＳＵ及びＧＰＳ  ＡＮＴ及びローカルインターフェースユニットを含む。ＲＲＳは、遠端インターフェースユニット、ＲＦ送受信ユニット（ＴＲＵ）及びアンテナからなり、従来のＰＡ＆ＬＮＡを省いた。ローカルインターフェースユニットと遠端インターフェースユニットは、基地局の室内部分とＲＲＳとの間の信号のやりとりに用いられ、光ケーブル又は中間周波数ケーブルによって接続される。ＴＲＵは、従来のＲＦＵのＲＦ送受信モジュールからなり、アナログ中間周波数信号とアナログＲＦ信号との間の相互変換に用いられる。本発明の基地局システムにおいて、セルをカバーするためのＲＦ送受信モジュールを遠端に配置することで、ＲＦ送受信モジュールとアンテナとの間の距離の要求を満たすとともに、基地局の室内部分と室外部分との間の距離を長くし、基地局システムの室内部分とＲＲＳとの間において、軽い光ケーブル又は中間周波数ケーブルによって長距離の接続を実現し、基地局サイト、ネットワーク運営コストを低減し、取り付けの難度を低下させた。一方、ＲＦ送受信モジュールをアンテナ分布によって異なる場所に配置することができるため、一つの基地局は、マルチアンテナ又はスマートアンテナを通じて複数のセルをカバーでき、一本の光ケーブル又はアナログ中間周波数ケーブルによって室内部分とＲＲＳとの間の接続を実現し、ネットワークの運営コストを低減するとともに、工程コストを低減させた。
【００２１】
また、実際の状況に応じて、インターフェースユニットに対する異なる設計を通じて、デジタルベースバンドリモート及び中間周波数リモートの異なる２つの実現方式を採用できる。基地局の室内部分とＲＲＳとの間の接続についても、光ケーブル又は中間周波数ケーブルを利用して実現することができる。
【発明を実施するための最良の形態】
【００２２】
本発明の要点は、ＲＦ送受信モジュールを遠端に配置し、基地局の室内部分とＲＲＳにそれぞれインターフェースユニットを配置して、基地局システムの室内部分とＲＲＳとの間の信号のやりとりを行い、基地局システムの柔軟性を高めることである。
【００２３】
図３は、本発明の基地局システムの構成を示す。図３に示すように、ＴＤ‐ＳＣＤＭＡシステムにおいて、ＮoｄeＢとＲＮＣとの間は、標準Ｉuｂインターフェースを介して接続され、基地局は、室内部分と、ＲＲＳからなる室外部分の２つの部分を含む。
【００２４】
そのうち、ＲＲＳは、遠端インターフェースユニット、ＲＦ送受信ユニット（ＴＲＵ）及びＡＮＴを含む。ＴＲＵは、遠端インターフェースユニットから出力されたアナログ中間周波数信号を受信し、該信号をアナログＲＦ信号に変換した後拡大してＡＮＴから送信する。又は、ＴＲＵは、ＡＮＴからのアナログＲＦ信号を受信して拡大し、該アナログＲＦ信号をアナログ中間周波数信号に変換し、さらに遠端インターフェースユニットの処理を経て、最後に、処理した後のインターフェース信号を、光ケーブル又は中間周波数ケーブルを介して基地局の室内部分のローカルインターフェースユニットに送信する。
【００２５】
基地局の室内部分は、大きく分けて５つの部分を含む。
ＲＩＵは、ＮoｄeＢとＲＮＣとの間のインターフェース機能を有する。ＣＣＵは、ＮodeＢのメーン制御機能と、ＮodeＢ内各ユニット間のシグナリング及び業務データの交換機能とを有し、ＲＮＣからのデータを、ＲＩＵを経てＣＣＵに伝送し、ＮoｄeＢの伝送すべきデータを、ＣＣＵによってＲＩＵを経てＲＮＣに伝送する。ＢＢＵは、物理レイヤのシンボル級及びコードチップ級のデジタル信号を処理し、ローカルインターフェースユニットとの間においてデジタルベースバンド信号をやりとりする。ＧＰＳＵ及びＧＰＳ  ＡＮＴは、ＧＰＳ  ＡＮＴを介してＧＰＳクロック信号を取得し、クロック信号を生成してＮoｄeＢ内のＲＩＵ、ＣＣＵ、ＢＢＵなどのユニットに提供する。
【００２６】
ローカルインターフェースユニットは、ＢＢＵからのデジタルベースバンド信号を受信し、受信した信号を処理し、処理した後のインターフェース信号を、光ケーブル又は中間周波数ケーブルを介してＲＲＳの遠端インターフェースユニットに送信する。又は、光ケーブル又は中間周波数ケーブルからのインターフェース信号を処理した後、処理して得たデジタルベースバンド信号をＢＢＵに伝送する。
【００２７】
本発明の目的、技術案、及び優れた点をさらに明らかにするために、以下、図面を参照し、比較的に好ましい実施の形態を用いて、本発明を更に詳しく説明する。
次に記載する基地局システムの構成は、従来の基地局システムと同様に、上りリンクと下りリンクの２つの部分を含む。
【００２８】
実施の形態１  デジタルベースバンドリモート方式
図４は、本発明の実施の形態１における基地局システムの構成を示す。
ローカルインターフェースユニットは、ローカルベースバンドインターフェースユニット（ＢＩＵ-Ｌ）である。ローカルインターフェースユニットの機能は、次の機能を含む。（１）ローカルインターフェースユニットの下りリンクにおいて、ＢＩＵ-Ｌは、ＢＢＵからのデジタルベースバンド信号を受信し、該電気信号をデジタルベースバンド光信号に変換し、該光信号を遠端インターフェースユニットに伝送する。このとき、インターフェース信号はデジタルベースバンド光信号である。（２）ローカルインターフェースユニットの上りリンクにおいて、ＢＩＵ-Ｌは、遠端インターフェースユニットから出力されたインターフェース信号、即ちデジタルベースバンド光信号を受信し、該光信号をデジタルベースバンド電気信号に変換してＢＢＵに伝送する。ＢＩＵ-Ｌは、例えば、シングルモード光送受信モジュールＰＴ７３２０‐４１又はシングルモード光送受信モジュールＰＴ７３２０‐６１等の、電気／光変換機能及び光／電気変換機能を有する光送受信モジュールによって実現できる。
【００２９】
遠端インターフェースユニットは、遠端ベースバンドインターフェースユニット（ＢＩＵ-Ｒ）とデジタル中間周波数ユニット（ＩＦＵ）からなる。そのうち、ＩＦＵは、従来のＲＦＵのデジタル中間周波数モジュールである。遠端インターフェースユニットの機能は、次の機能を含む。（１）遠端インターフェースユニットの下りリンクにおいて、ＢＩＵ-Ｒは、ローカルインターフェースユニットからのデジタルベースバンド光信号を受信し、該光信号をデジタルベースバンド信号、即ちデジタルベースバンド電気信号に変換してＩＦＵに伝送する。ＩＦＵは、受信したデジタルベースバンド信号に対して、ベースバンド信号の成形・フィルタリング、デジタルアップ変換及びＤ／Ａ変換を行ってアナログ中間周波数信号を生成し、該アナログ中間周波数信号をＴＲＵに伝送する。（２）ローカルインターフェースユニットの上りリンクにおいて、ＩＦＵは、ＴＲＵからのアナログ中間周波数信号を受信し、該信号に対して、Ａ／Ｄ変換、デジタルダウン変換及びベースバンド信号の成形・フィルタリング処理を行ってデジタルベースバンド信号を生成し、該デジタルベースバンド信号をＢＩＵ-Ｒに伝送する。ＢＩＵ-Ｒは、受信したデジタルベースバンド信号に対して、電気／光変換処理を行ってデジタルベースバンド光信号に変換した後、該光信号をローカルインターフェースユニットに伝送する。ＢＩＵ-Ｒは、例えば、シングルモード光送受信モジュールＰＴ７３２０‐４１又はシングルモード光送受信モジュールＰＴ７３２０‐６１等の、電気／光変換機能及び光／電気変換機能を有する光送受信モジュールによって実現できる。
【００３０】
ＴＲＵは、従来のＲＦＵのＲＦ送受信モジュールである。ＲＦＵのＲＦ送受信モジュール自身が信号を拡大する機能を有するため、本発明においては、従来のＰＡ＆ＬＮＡユニットを省いている。ＴＲＵの機能は、次の機能を含む。（１）ＴＲＵの下りリンクにおいて、ＴＲＵは、ＩＦＵからのアナログ中間周波数信号を受信し、該信号に対して、拡大、フィルタリング、ゲイン制御、アナログ中間周波数信号からアナログＲＦ信号への変換処理を行い、変換処理を行って得たアナログＲＦ信号に対して、拡大、フィルタリング、ゲイン制御処理を行い、処理後のアナログＲＦ信号をアンテナに伝送する。（２）ＴＲＵの上りリンクにおいて、ＴＲＵは、アンテナからのアナログＲＦ信号を受信し、該信号に対して、拡大、フィルタリング、ゲイン制御、アナログＲＦ信号からアナログ中間周波数信号への変換処理を行い、変換処理後のアナログ中間周波数信号に対して、拡大、フィルタリング、及びゲイン制御処理を行い、処理後のアナログ中間周波数信号を遠端インターフェースユニットに伝送する。
【００３１】
以上のシステムは、本発明に係るデジタルベースバンドリモート方式により実現した基地局システムである。上記技術案によると、本実施の形態において、デジタルベースバンド信号を境界として室内部分とＲＲＳとを区分し、室内部分とＲＲＳとの間は光ケーブルを介して接続される。基地局の室内部分とＲＲＳとの間の距離が比較的に遠いときに、このようなデジタルベースバンドリモート方式を採用することができる。
【００３２】
また、ＲＲＳは、需要に応じて、例えば、シングルアンテナ、ツーアンテナ、フォーアンテナ、エイトアンテナなどの異なるアンテナカバー方式を採用できる。デジタルベースバンドリモート方式を採用する場合、異なるアンテナカバー方式に応じて、例えば、異なる速度の電気／光又は光／電気変換チップ等の光送受信デバイスを採用して、信号変換を行うことができる。例えば、シングルアンテナのカバー方式の場合、低速度の変換チップを使用し、マルチアンテナのカバー方式の場合、高速度の変換チップを使用する。基地局の室内部分と一個以上のＲＲＳとの間は、一個以上のインターフェースユニットによって、デジタル光ケーブルを介して、例えばシリアル接続、星型接続、及び、シリアル接続と星型接続とを同時に有する混合接続という異なる接続方式を選択できる。
【００３３】
図５は、本発明の実施の形態１に係る基地局の室内部分とＲＲＳとの間の接続を示す。６つのキャリアを処理するＢＢＵ、３つのキャリアを処理するＴＲＵを有し、且つ、エイトアンテナカバー方式を採用すると仮定する。本発明の実施の形態１の基地局構成によると、図５に示すように、デジタルベースバンドリモート方式の場合、基地局リモート部分は、２つのＲＲＳを有し、各ＲＲＳのＴＲＵは、上記３つのキャリアを処理するＴＲＵである。該基地局の室内部分のデジタルベースバンドユニットは、上記６つのキャリアを処理するＢＢＵからなる。該ＢＢＵは、２つのＢＩＵ-Ｌに接続されている。２つのＢＩＵ-Ｌは、光ケーブルを介してそれぞれ２つのＲＲＳのＢＩＵ-Ｒに接続される。各ＢＩＵ-Ｒは、それぞれが所属するＲＲＳのＴＲＵに接続されている。このように、基地局の室内部分と２つのＲＲＳとの間は、星型接続方式になる。即ち、２つのリモートのＲＲＳによって、一つの基地局が二つの異なる領域をカバーできるようにし、且つ、２つのＲＲＳはそれぞれエイトアンテナカバー方式によって異なる領域をカバーすることになる。
【００３４】
実施の形態２  中間周波数リモート方式
図６は、本発明の実施の形態２に係る基地局システムの構成を示す。
ローカルインターフェースユニットは、ＩＦＵと、ローカル中間周波数インターフェースユニット（ＩＩＵ-Ｌ）からなる。そのうち、ＩＦＵは、従来のＲＦＵのデジタル中間周波数モジュールである。ＩＩＵ-Ｌは、それぞれ図７（ａ）、図７（ｂ）に示すような下りリンクと上りリンクの２つの部分を含む。
図７（ａ）は、図６におけるＩＩＵ-Ｌの下りリンクの構成モジュール及び機能を示す。図７（ａ）によると、ＩＩＵ-Ｌの下りリンクは、次のように構成される。
【００３５】
ＩＩＵ-Ｌと、ＲＲＳに位置する遠端中間周波数インターフェースユニット（ＩＩＵ-Ｒ）との間が、中間周波数ケーブルによって接続される場合、ＩＩＵ-Ｌは、第１のアップ変換モジュール、周波数偏移キーイング（ＦＳＫ）変調モジュール及び第１のマルチプレクシングモジュールからなる。ＩＩＵ-ＬとＩＩＵ-Ｒとの間が、光ケーブルによって接続される場合、ＩＩＵ-Ｌは、第１のアップ変換モジュール、ＦＳＫ変調モジュール、第１のマルチプレクシングモジュール、及び電気／光変換モジュールからなる。各モジュールの機能を示す。
【００３６】
第１のアップ変換モジュールは、ローカルインターフェースユニットのＩＦＵからのクロック信号ｆｃｌｋの周波数を基準として、ローカルインターフェースユニットのＩＦＵからのアナログ中間周波数信号の中心周波数を、異なる中心周波数に変換し、変換した後のアナログ中間周波数信号を第１のマルチプレクシングモジュールに伝送する。ここで、クロック信号ｆｃｌｋは、図６に示すように、ＧＰＳＵからＢＢＵに伝送し、さらにＢＢＵからＩＦＵに伝送してもよく、ＧＰＳＵから直接ＩＦＵに伝送してもよい。
【００３７】
ＦＳＫ変調モジュールは、ＣＣＵからのオペレーションメンテナンス（ＯＭ）制御信号を所定の一定周波数に変調し、変調したＯＭ制御信号をマルチプレクシングモジュールに伝送する。ＯＭ制御信号は、ＴＲＵがＲＦ処理などをスタートするかの制御に用いられる。
【００３８】
第１のマルチプレクシングモジュールは、ローカルインターフェースユニットのＩＦＵからのｆｃｌｋ信号、アップ変換後のアナログ中間周波数信号及びＦＳＫ変調後のＯＭ制御信号を受信し、受信した信号に対して、周波数信号重合を行い、重合した一つのアナログ中間周波数信号を、中間周波数ケーブルを介してＩＩＵ-Ｒに伝送し、又は、電気／光変換モジュールによって光信号に変換した後に光ケーブルを介してＩＩＵ-Ｒに伝送する。
【００３９】
図７（ｂ）は、図６におけるＩＩＵ-Ｌの上りリンクの構成モジュール及び機能を示す。図７（ｂ）によると、ＩＩＵ-Ｌの上りリンクは、次のように構成される。
ＩＩＵ-Ｌと、ＩＩＵ-Ｒとの間が、中間周波数ケーブルを介して接続される場合、ＩＩＵ-Ｌは、第１のデマルチプレクシングモジュール、第１のダウン変換モジュールからなる。ＩＩＵ-ＬとＩＩＵ-Ｒとの間が、光ケーブルを介して接続される場合、ＩＩＵ-Ｌは、光／電気変換モジュール、第１のデマルチプレクシングモジュール、及び第１のダウン変換モジュールからなる。各モジュールの機能を示す。
【００４０】
第１のデマルチプレクシングモジュールは、ＩＩＵ-Ｒの第２のマルチプレクシングモジュールからの一つのアナログ中間周波数信号を受信し、該アナログ中間周波数信号に対して周波数信号分離を行い、分離したアナログ中間周波数信号を第１のダウン変換モジュール伝送する。
【００４１】
第１のダウン変換モジュールは、ローカルインターフェースユニットのＩＦＵからのｆｃｌｋ信号の周波数を基準として、第１のデマルチプレクシングモジュールからの異なる中心周波数のアナログ中間周波数信号の中心周波数を、ＩＦＵから出力する各アナログ中間周波数信号の中心周波数に変換し、変換した後のアナログ中間周波数信号をローカルインターフェースユニットのＩＦＵに伝送する。
【００４２】
図７（ａ）と図７（ｂ）におけるＩＦＵは、同一のＩＦＵである。
ここで、周波数変換はミキシングとも呼ばれ、ＦＳＫ変調及び周波数信号重合／分離は、いずれも公知技術である。ここでは詳しく説明せず、本発明の基地局システムの一つの実現方式を強調する。
【００４３】
遠端インターフェースユニットは、遠端中間周波数インターフェースユニット（ＩＩＵ-Ｒ）である。ＩＩＵ-Ｒの構成も、下りリンクと上りリンクとの２つの部分を含み、図７（ｂ）と図７（ａ）に示すＩＩＵ-Ｌの上りリンクと下りリンクの構成に類似する。ただ、ＩＩＵ-Ｒにおいて、ＦＳＫ変調モジュールの代わりに、ＦＳＫ復調モジュールを使い、下りリンクにおいて、ＩＩＵ-Ｌからの、ＦＳＫ変調されたＯＭ制御信号を復調して、ＯＭ制御信号を復元するために用いられる。ここで、ＦＳＫ復調技術は公知技術であるため、詳しく説明しない。また、遠端インターフェースユニットにおいて、アップ変換モジュールとダウン変換モジュールの周波数基準ｆｃｌｋ信号は、遠端インターフェースユニットのデマルチプレクシングモジュールから分離したアナログ中間周波数信号のｆｃｌｋ信号である。
【００４４】
具体的に、ＩＩＵ-Ｒの下りリンクは、次のように構成される。
ＩＩＵ-Ｌと、ＩＩＵ-Ｒとの間が、中間周波数ケーブルを介して接続される場合、ＩＩＵ-Ｒは、第２のデマルチプレクシングモジュール、第２のダウン変換モジュール、及びＦＳＫ復調モジュールからなる。ＩＩＵ-ＬとＩＩＵ-Ｒとの間が、光ケーブルを介して接続される場合、ＩＩＵ-Ｒは、光／電気変換モジュール、第２のデマルチプレクシングモジュール、第２のダウン変換モジュール、及びＦＳＫ復調モジュールからなる。各モジュールの機能を示す。
【００４５】
第２のデマルチプレクシングモジュールは、ＩＩＵ-Ｌの第１のマルチプレクシングモジュールからの一つのアナログ中間周波数信号を受信し、該アナログ中間周波数信号に対して周波数信号分離を行い、分離したアナログ中間周波数信号を第２のダウン変換モジュールに伝送し、分離したｆｃｌｋ信号をそれぞれ上記ＴＲＵ、第２のアップ変換モジュール及び第２のダウン変換モジュールに伝送し、分離した後にＦＳＫ変調されたＯＭ制御信号をＦＳＫ復調モジュールに伝送する。
【００４６】
第２のダウン変換モジュールは、第２のデマルチプレクシングモジュールからのｆｃｌｋ信号の周波数を基準として、第２のデマルチプレクシングモジュールから受信したアナログ中間周波数信号に対して周波数変換処理を行い、第２のデマルチプレクシングモジュールからの異なる中心周波数のアナログ中間周波数信号の中心周波数を元の中心周波数に変換し、変換した後のアナログ中間周波数信号を上記ＴＲＵに伝送する。
ＦＳＫ復調モジュールは、第２のデマルチプレクシングモジュールからの変調されたＯＭ制御信号を元のＯＭ制御信号に復調して上記ＴＲＵに伝送する。
【００４７】
ＩＩＵ-Ｒの上りリンクは、次のように構成される。
ＩＩＵ-ＬとＩＩＵ-Ｒとの間が中間周波数ケーブルを介して接続される場合、ＩＩＵ-Ｒは、第２のアップ変換モジュール、第２のマルチプレクシングモジュールからなる。ＩＩＵ-ＬとＩＩＵ-Ｒとの間が光ケーブルを介して接続される場合、ＩＩＵ-Ｒは、第２のアップ変換モジュール、第２のマルチプレクシングモジュール、及び電気／光変換モジュールからなる。各モジュールの機能を示す。
【００４８】
第２のアップ変換モジュールは、第２のデマルチプレクシングモジュールからのｆｃｌｋ信号を周波数基準として、上記ＴＲＵから受信したアナログ中間周波数信号の中心周波数を異なる中心周波数に変換し、変換した後のアナログ中間周波数信号を第２のマルチプレクシングモジュールに伝送する。
【００４９】
第２のマルチプレクシングモジュールは、第２のアップ変換モジュールからの変換後のアナログ中間周波数信号を受信し、受信した信号に対して周波数信号重合を行い、重合した一つのアナログ中間周波数信号をＩＩＵ-Ｌの第１のデマルチプレクシングモジュールに伝送する。
【００５０】
ＩＩＵ-ＲとＩＩＵ-Ｌとのインターフェースは、次のように接続される。
基地局の室内部分とＲＲＳとの間が中間周波数ケーブルを介して接続される場合、ＩＩＵ-ＬのマルチプレクシングモジュールとＩＩＵ-Ｒのデマルチプレクシングモジュールは、中間周波数ケーブルを介して接続される。ＩＩＵ-ＬのデマルチプレクシングモジュールとＩＩＵ-Ｒのマルチプレクシングモジュールが中間周波数ケーブルを介して接続される場合、基地局の室内部分のローカルインターフェースユニットのＩＩＵ-ＬとＲＲＳのＩＩＵ-Ｒとの間において伝送されるインターフェース信号はアナログ中間周波数電気信号である。
【００５１】
基地局の室内部分とＲＲＳとの間が光ケーブルを介して接続される場合、ＩＩＵ-Ｌの電気／光変換モジュールとＩＩＵ-Ｒの光／電気変換モジュールは、光ケーブルを介して接続される。ＩＩＵ-Ｌの光／電気変換モジュールとＩＩＵ-Ｒの電気／光変換モジュールが光ケーブルを介して接続される場合、基地局の室内部分のローカルインターフェースユニットのＩＩＵ-ＬとＲＲＳのＩＩＵ-Ｒとの間において伝送されるインターフェース信号はアナログ中間周波数光信号である。
【００５２】
ＴＲＵも、従来のＲＦＵのＲＦ送受信モジュールである。ＴＲＵの機能は、実施の形態１に記述したように、アナログ中間周波数信号とアナログＲＦ信号間の変換及び処理であり、ここでは重複して説明しない。ただし、本実施の形態において、下りリンクにおいて、ＴＲＵが受信するのは、ＩＩＵ-Ｒのダウン変換モジュールから出力されるアナログ中間周波数信号であり、該アナログ中間周波数信号をアナログＲＦ信号に変換してアンテナに伝送する。上りリンクにおいて、ＴＲＵは、アンテナからのアナログＲＦ信号を受信し、該アナログＲＦ信号をアナログ中間周波数信号に変換してＩＩＵ-Ｒのアップ変換モジュールに伝送する。
【００５３】
また、図７（ａ）と図７（ｂ）からわかるように、アップ／ダウン変換モジュールがｎ個ある。ここでのｎは、実際の適用時に基地局が採用するアンテナカバー方式におけるアンテナ数ｍに依存する。基地局がエイトアンテナカバー方式を採用する場合、即ち、ｍが８である場合、ｎも８である。即ち、８個のアップ／ダウン変換モジュールがある。
以上のシステムは、本発明において中間周波数リモート方式により実現した基地局システムである。上記技術案によると、本実施の形態において、アナログ中間周波数信号を境界として室内部分とＲＲＳを区分し、室内部分とＲＲＳとの間において光ケーブル又は中間周波数ケーブルを介して接続することができる。基地局の室内部分とＲＲＳとの間の距離が比較的に近いときに、このような中間周波数リモート方式を採用することができる。
【００５４】
同様に、中間周波数リモート方式において、ＲＲＳは、需要に応じて、例えばシングルアンテナ、ツーアンテナ、フォーアンテナ、エイトアンテナなどの異なるアンテナカバー方式を採用できる。中間周波数リモート方式を採用する場合、異なるアンテナカバー方式に応じて、例えば異なる速度の電気／光又は光／電気変換チップ等の光送受信デバイスを採用して、信号変換を行うことができる。基地局の室内部分と一個以上のＲＲＳとの間は、一個以上のインターフェースユニットによって、光ケーブル又は中間周波数ケーブルを介して、例えばシリアル接続、星型接続、及び、シリアル接続と星型接続とを同時に有する混合接続という異なる接続方式を選択できる。
【００５５】
図８は、本発明の実施の形態２の構成による基地局の室内部分とＲＲＳとの間の接続を示す。遠端の各ＴＲＵが三つのキャリアを処理し、フォーアンテナカバー方式を採用すると仮定する。各ＢＢＵは、三つのキャリアのベースバンド処理を行う。本発明の実施の形態２の基地局構成によると、図８に示すように、中間周波数リモート方式の場合、ＩＦＵが三つのキャリア、エイトアンテナを処理すると、基地局のリモート部分の各ＲＲＳは、上記三つのキャリアを処理する一つのＴＲＵからなる。基地局の室内部分のデジタルベースバンドユニットは、上記三つのキャリアを処理する二つのＢＢＵからなり、且つ、二つのＢＢＵはＩＦＵに接続され、ＩＦＵは、一つのＩＩＵ-Ｌと遠端ＩＩＵ-Ｒとを通じて中間周波数ケーブル又は光ケーブルを介して接続され、二つのＲＲＳ間は、中間周波数ケーブル又は光ケーブルを介して接続される。このように、一つの基地局の室内部分と２つのＲＲＳとの間は、シリアル接続方式になる。即ち、２つのリモートのＲＲＳによって、一つの基地局が二つの異なる領域をカバーするようにし、且つ、２つのＲＲＳがそれぞれフォーアンテナカバー方式によって異なる領域をカバーするようにする。
【００５６】
実施の形態３  デジタルベースバンドリモートと中間周波数リモートの混合方式
図９は、本発明の実施の形態３における基地局システムの構成を示す。
ローカルインターフェースユニットは、ＢＩＵ-Ｌ、ＩＦＵ及びＩＩＵ-Ｌからなる。２つの遠端インターフェースユニットは、それぞれ、ＢＩＵ-Ｒ、ＩＦＵ及びＩＩＵ-Ｒからなる。
室内部分は、更にＲＩＵ、ＣＣＵ、ＢＢＵ１、ＢＢＵ２及びＧＰＳＵを含む。ここで注意すべきこととして、本実施の形態において、室内部分のＢＩＵ-Ｌ、ＩＦＵは、図９に示すように、一つのＢＢＵにそれぞれ対応してもよく（即ち、ＢＢＵ１とＢＢＵ２の構成及び機能が同じである）、一つのＢＢＵを共用しても良い。ＲＲＳは、更にＴＲＵを含む。
【００５７】
本実施の形態の構成から見ると、このような基地局システムの構成は、実際の適用時に柔軟さに富む。同一基地局構成が二種類のリモート方式をサポートできるため、使用者が基地局の室内部分とＲＲＳとの間の距離に応じてリモート方式を柔軟に選択できる。例えば、距離が比較的に短いとき、中間周波数リモートを利用し、中間周波数ケーブルを採用し、コストが低い。また、使用者は、光ケーブルモジュール価格に応じて、リモート方式を柔軟に選択できる。例えば、アナログ光ファイバーモジュールが安ければ、中間周波数リモート方式を採用し、デジタルファイバーモジュールが安ければ、デジタルベースバンドリモート方式を採用する。具体的に、本発明の基地局が同時にビル内のカバーと遠端の広範囲領域のカバーとをサポートする場合、中間周波数リモートの一つのＲＲＳでビル内のカバーを実現し、同時に、デジタルベースバンドリモートのもう一つのＲＲＳで遠端の広範囲領域のカバーを実現する。
【００５８】
以上の内容は本発明の比較的に好ましい実施の形態に過ぎず、本発明の保護範囲を限定するものではない。
【図面の簡単な説明】
【００５９】
【図１】従来の基地局システムの構成を示す図である。
【図２】図１におけるＲＦＵの構成モジュール及び機能を示す図である。
【図３】本発明の基地局システムの構成を示す図である。
【図４】本発明の実施の形態１に係る基地局システムの構成を示す図である。
【図５】本発明の実施の形態１に係る基地局の室内部分とＲＲＳとの間の接続を示す図である。
【図６】本発明の実施の形態２に係る基地局システムの構成を示す図である。
【図７（ａ）】図６におけるＩＩＵ-Ｌの下りリンクの構成モジュール及び機能を示す図である。
【図７（ｂ）】図６におけるＩＩＵ-Ｌの上りリンクの構成モジュール及び機能を示す図である。
【図８】本発明の実施の形態２に係る基地局の室内部分とＲＲＳとの間の接続を示す図である。
【図９】本発明の実施の形態３に係る基地局システムの構成を示す図である。
【図１】
2008532443.tif 000003
【図２】
2008532443.tif 000004
【図３】
2008532443.tif 000005
【図４】
2008532443.tif 000006
【図５】
2008532443.tif 000007
【図６】
2008532443.tif 000008
【図７（ａ）】
2008532443.tif 000009
【図７（ｂ）】
2008532443.tif 000010
【図８】
2008532443.tif 000011
【図９】
2008532443.tif 000012
【国際調査報告】
2008532443.tif 000013
2008532443.tif 000014
2008532443.tif 000015
2008532443.tif 000016